(57)【要約】【課題】金属の加工性に着目し、陶磁器製やガラス製では実現し難くい斬新的なデザインとなる形状の金属製食器を提供する。【解決手段】適宜形状の金属板１に複数の小透孔２を穿設すると共に、板全体を波状に湾曲させて食品Ｂを区分けして盛り付けが可能な大きさの谷部３を複数形成してなるもので、単独或いは敷き皿Ａと組み合わせて使用するもので、更に小透孔の穿設位置・形状を任意に定めてデザイン性を高め、また表裏の研磨仕上げを変えるなどによって表裏逆転使用による外観変更を可能としたものである。【選択図】図２
0003187047.tif 000002
【実用新案登録請求の範囲】
【請求項１】
適宜形状の金属板に複数の小透孔を穿設すると共に、板全体を波状に湾曲させて食品を区分けして盛り付けが可能な大きさの谷部を複数形成してなることを特徴とする金属製食器。
【請求項２】
谷部を同一方向に平行に形成してなる請求項１記載の金属製食器。
【請求項３】
平面視が矩形又は小判型である請求項２記載の金属製食器。
【請求項４】
谷部を放射状に形成してなる請求項１記載の金属製食器。
【請求項５】
平面視が扇形である請求項４記載の金属製食器。
【請求項６】
表裏異なる彩色又は異なる研磨処理を施してなる請求項１乃至５記載の何れかの金属製食器。
【請求項７】
小透孔を谷部又は山部にのみ設けてなる請求項１乃至６記載の何れかの金属製食器。
【請求項８】
小透孔を模様状に形成してなる請求項１乃至７記載の何れかの金属製食器。
【請求項９】
金属板本体の縁部を折り返し部材で縁取してなる請求項１乃至６記載の何れかの金属製食器。
【考案の詳細な説明】
【技術分野】
【０００１】
本考案は、金属製食器で特に盛り皿に関するものである。
【背景技術】
【０００２】
食器（食品の盛り皿）は周知のとおり陶磁器製、ガラス製が広く採用されており、特に何れかの窯で製造した等の陶芸作家に対する個人の嗜好性を満足させる製品の他、各製造メーカー独自のデザインが施されている製品が多数である。しかし金属製食器は、貴金属製の特殊な食器以外は、専ら破損し難いという実用性の点から没個性的なデザインの食器が多数を占めている。また特に金属製の場合にはその加工性に優れている点が着目され、例えば仕切り壁を設けた仕切り皿（特許文献１）や、小透孔を多数穿設した水切り皿（特許文献２）等に採用されている。
【先行技術文献】
【特許文献】
【０００３】
【特許文献１】登録実用新案３１５９９５０号公報。
【特許文献２】登録実用新案３１３５１０７号公報。
【考案の概要】
【考案が解決しようとする課題】
【０００４】
本考案は、金属の加工性に着目し、陶磁器製やガラス製では実現し難い斬新的なデザインとなる形状の金属製食器を提供しようとするものである。
【課題を解決するための手段】
【０００５】
本考案（請求項１）に係る金属製食器は、適宜形状の金属板に複数の小透孔を穿設すると共に、板全体を波状に湾曲させて食品を区分けして盛り付けが可能な大きさの谷部を複数形成してなることを特徴とするものである。
【０００６】
而して前記食器は、谷部に食品を区分けして盛り付けることができるもので、単独使用でも、敷き皿上に載置して使用することもでき、敷き皿との組み合わせ使用の場合には水切り皿としても使用することができる。
【０００７】
特に本考案の食器は、金属製としたことによって、多数の小透孔は金属平板に対するパンチング加工で容易に形成でき、且つ食器の軽量化に貢献してその取扱いを容易にし、また板全体を波状にするにはプレス加工（ウエーブ加工）で容易になし得るもので、陶磁器製やガラス製の食器では、その製造が困難な形状の食器を提供できるものである。
【０００８】
また本考案の請求項２，３に係る金属製食器は、谷部を同一方向に平行に形成し、平面視が矩形又は小判型としたものであり、また請求項４，５に係る金属製食器は、谷部を放射状に形成し、平面視が扇形としたもので、金属板を基材としているので、その形状の変更は容易になしえるものである。
【０００９】
また本考案の請求項６に係る金属製食器は、表裏異なる彩色又は異なる研磨処理を施してなるもので、表裏が逆転して使用することができ、表面側の山部が裏面使用時の谷部となるものである。
【００１０】
また本考案の請求項７，８に係る金属製食器は、小透孔を全体に設けることなく谷部又は山部にのみに設け、或いは小透孔自体を模様状に形成することで、小透孔によって、更なるデザイン性を高めることができる。
【００１１】
また本考案の請求項９に係る金属製食器は、金属板本体の縁部を折り返し部材で縁取してなるもので、例えば製造コスト低減のために既存のパンチングボードから本考案の金属板を切り取り、ウエーブ加工を施して、切り取り外周（縁部）に一部欠落した小透孔が存在することになるので、当該縁部を折り返し部材で縁取りを施し、しかる後にウエーブ加工を施すものである。
【考案の効果】
【００１２】
本考案は上記のとおり、金属の加工性に着目し、陶磁器製の食器では実現し難くい新規なデザインの食器を提供できたものである。
【図面の簡単な説明】
【００１３】
【図１】本考案の第一実施例の全体斜視図。
【図２】同使用状態の説明図。
【図３】同第二実施例の全体斜視図。
【図４】同第三実施例の全体斜視図。
【図５】同第四実施例の全体斜視図。
【図６】同第五実施例の全体斜視図。
【考案を実施するための形態】
【００１４】
次に本考案の実施形態について説明する。図１は第一実施例を示したもので、金属板１に複数の小透孔２を穿設すると共に、板全体を波状に湾曲させて食品を区分けして盛り付けが可能な大きさの谷部３を複数形成してなるものである。
【００１５】
金属板１は、ステンレス板、銅板、洋銀等任意であるが、耐食性等を考慮するとステンレス板が適当であり、その厚さは、０．６〜１．０ｍｍ（０．８ｍｍが好適）程度である。
【００１６】
このステンレス板（金属板１）にパンチ加工で小透孔２を多数穿設するもので、実施例に示した小透孔２は円孔であるが、必ずしも円孔に限らず後述する第二実施例の様な花弁状の小透孔２ａでも良い。円孔の場合はφ２〜４ｍｍが適当である。
【００１７】
更に金属板１は板全体を複数の凹凸が連なる波形状とするもので、プレスによってウエーブ加工を施すもので、谷部３間を６〜９ｃｍ程度で、谷部３の底部から山部４の頂部までの高さを２〜３ｃｍ程度で、谷部３の数が２〜５程度にすると、使い易い大きさとなる。勿論本考案は、前記の数値に限定されるものではない。
【００１８】
而して前記金属製食器は、図２に示すように、単独又は金属製食器に合わせた大きさの敷き皿Ａと組み合わせて使用するもので、谷部３に食品Ｂを盛り付けると山部４が仕切りとなって区分けされるものである。また谷部３に設けられている小透孔は、水切り皿としても機能することになる。
【００１９】
図３は本考案の第二実施例で、金属板１ａにおいて、小透孔２ａを花弁状にして模様性を高めると共に、当該小透孔２ａで表現される模様が際立つように、山部４ａの頂部にのみ小透孔２ａを設けたものである。
【００２０】
図４は本考案の第三実施例で、金属板１ｂの表面や裏面に着色を施したものである。また着色に替えて、表面はミラー研磨面、裏面は艶消し研磨面とし、使用時に際して表裏選択して使用することができる。その際には、金属板１ｂの波状加工において、各山部４の高さを一致させておくか、或いは中央が低くも左右を高くして、表裏共に安定して載置できる形状としておく。
【００２１】
また図５は、本考案の第四実施例で、本実施例は特に製造コストを削減するために金属板１ｃに既製品であるパンチングボードから所定の大きさに切り取り、切り取り外周（縁部）に一部欠落した小透孔２ｃが存在するので、当該縁部を折り返し部材で縁取り５を施し、しかる後ウエーブ加工を行って製出したものである。
【００２２】
また図６は、本考案の第五実施例で、特に谷部３ｄを平行に形成することなく、末広がり状に幅広となる山部４ｄとし、全体的に放射状の谷部３ｄとし、全体の平面視も扇形としたものである。このように本考案は必ずしもその全体形状は特定されず、また谷部の形状も種々の変形を採用することもできる。
【符号の説明】
【００２３】
１，１ａ，１ｂ，１ｃ，１ｄ    金属板
２，２ａ，２ｃ，    小透孔
３，３ｄ    谷部
４，４ｄ    山部
５      縁取り
Ａ      敷き皿
Ｂ      食品
【図１】
0003187047.tif 000003
【図２】
0003187047.tif 000004
【図３】
0003187047.tif 000005
【図４】
0003187047.tif 000006
【図５】
0003187047.tif 000007
【図６】
0003187047.tif 000008